(57)【要約】【目的】修正前後の画像や差異部分の画像データの容量を少なくして圧縮や送信などの処理をスムーズに行なうことができ、白黒出力用のレーザプリンタで出力したときに差異部分との比較が容易にできるようにした校正チェックシステムを提供する。【構成】前記の修正前又は修正後の画像から互いに重複していない差異部分を抽出すると共に、後の重ね合わせのベースになる画像（前記の修正前画像又は修正後画像）から黒の部分を間引き処理し、前記の間引きしたベース画像と前記抽出した差異画像を合成して一つの画像データとして出力するようにした。これにより、前記合成画像を見るとき、前記の間引き処理されたために全体が薄い灰色に見えるベース画像（前記の修正前画像又は修正後画像）と前記差異画像との間にはっきりした濃淡が見えるようにして、両者を明確に区別して視認できるようにした。【選択図】　　図１
2004102583.tif 000002
【特許請求の範囲】
【請求項１】
所定の原稿からオペレータが入力したテキストデータに基づいて作成された修正前の白黒２値の画像データを記録するための修正前画像記録手段と、
前記テキストデータを修正入力して得られたテキストデータに基づいて作成された修正後の白黒２値の画像データを記録するための修正後画像記録手段と、
前記修正前画像記録手段に記録された修正前画像データと前記修正後画像記録手段に記録された修正後画像データとの差異画像であって前記修正前画像データには無いが前記修正後画像には有る画像を抽出するための差異画像抽出手段と、
前記修正前画像記録手段に記録された修正前画像データの黒の部分のドットを間引きするための間引き処理手段と、
前記差異画像抽出手段により抽出された差異画像と前記修正前画像の前記間引き処理後の画像データとを合成して１つの画像データとして出力するための合成画像出力手段と、
を備えたことを特徴とする校正チェックシステム。
【請求項２】
所定の原稿からオペレータが入力したテキストデータに基づいて作成された修正前の白黒２値の画像データを記録するための修正前画像記録手段と、
前記テキストデータを修正入力して得られたテキストデータに基づいて作成された修正後の白黒２値の画像データを記録するための修正後画像記録手段と、
前記修正前画像記録手段に記録された修正前画像データと前記修正後画像記録手段に記録された修正後画像データとの差異画像であって前記修正前画像データには有るが前記修正後画像には無い画像を抽出するための差異画像抽出手段と、
前記修正後画像記録手段に記録された修正後画像データの黒の部分のドットを間引きするための間引き処理手段と、
前記差異画像抽出手段により抽出された差異画像と前記修正後画像の前記間引き処理後の画像データとを合成して１つの画像データとして出力するための合成画像出力手段と、
を備えたことを特徴とする校正チェックシステム。
【請求項３】
請求項１又は２において、前記間引き処理手段は、その間引き量を、前記修正前画像又は修正後画像の解像度、前記各画像の表示サイズ、又は、前記合成画像を印刷するためのプリンタの印刷能力に応じて調整するものである、ことを特徴とする校正チェックシステム。
【発明の詳細な説明】
【０００１】
【発明の属する技術分野】
本発明は、ある原稿に基づいてオペレータがテキストデータを入力した後に、そのテキストデータが修正（訂正・変更）されたとき、前記修正が正確になされているかどうかをチェックするための校正チェックシステムに関する。
【０００２】
【従来の技術】
従来より、ある原稿に基づいてオペレータがテキストデータの入力を行なった後に、前記原稿の修正などが生じたために前記テキストデータが修正される場合があるが、そのテキストデータの修正が正確に行なわれたかどうかのチェックは大変な労力と時間の掛かる作業である。そのため、従来より、例えば印刷物等の校正が正確になされているかどうかのチェックを容易に行なうための校正チェックシステムが提案されている。例えば、発明の名称を「校正システム」とする特開２０００−２４５６０９号公報（特許文献１）では、原稿と校正すべき比較対象物とをそれぞれカメラで撮像して両者の差異部分を色の違いとして出力するシステムを提案している。
【０００３】
【特許文献１】
特開２０００−２４５６０９号公報
【０００４】
【発明が解決しようとする課題】
しかしながら、前記公報のように差異部分を他と異なる色で出力する方法によるときは、修正前後の画像や差異部分の画像データの容量が大きくなって圧縮や送信などの処理がスムーズに出来ない、白黒出力用のレーザプリンタで出力したときは修正前後の画像と差異部分とが判別し難いなどの問題があった。
【０００５】
本発明はこのような従来技術の問題点に着目してなされたものであって、修正前後の画像や差異部分の画像データの容量を少なくして圧縮や送信などの処理をスムーズに行なうことができ、白黒出力用のレーザプリンタで出力したときでも修正前後の画像と差異部分との判別・比較が容易にできるようにした校正チェックシステムを提供することを目的とするものである。
【０００６】
【課題を解決するための手段】
このような従来技術の課題を解決するための本発明による校正チェックシステムは、所定の原稿に基づいてオペレータが入力したテキストデータに基づいて作成された修正前の白黒２値の画像データを記録するための修正前画像記録手段と、前記テキストデータを修正入力して得られたテキストデータに基づいて作成された修正後の白黒２値の画像データを記録するための修正後画像記録手段と、前記修正前画像記録手段に記録された修正前画像データと前記修正後画像記録手段に記録された修正後画像データとの差異画像であって前記修正前画像データには無いが前記修正後画像には有る画像を抽出するための差異画像抽出手段と、前記修正前画像記録手段に記録された修正前画像データの黒の部分のドットを間引きするための間引き処理手段と、前記差異画像抽出手段により抽出された差異画像と前記修正前画像の前記間引き処理後の画像データとを合成して１つの画像データとして出力するための合成画像出力手段と、を備えたことを特徴とするものである。
【０００７】
また、本発明の校正チェックシステムは、所定の原稿に基づいてオペレータが入力したテキストデータに基づいて作成された修正前の白黒２値の画像データを記録するための修正前画像記録手段と、前記テキストデータを修正入力して得られたテキストデータに基づいて作成された修正後の白黒２値の画像データを記録するための修正後画像記録手段と、前記修正前画像記録手段に記録された修正前画像データと前記修正後画像記録手段に記録された修正後画像データとの差異画像であって前記修正前画像データには有るが前記修正後画像には無い画像を抽出するための差異画像抽出手段と、前記修正後画像記録手段に記録された修正後画像データの黒の部分のドットを間引きするための間引き処理手段と、前記差異画像抽出手段により抽出された差異画像と前記修正後画像の前記間引き処理後の画像データとを合成して１つの画像データとして出力するための合成画像出力手段と、を備えたことを特徴とするものである。
【０００８】
さらに、本発明の校正チェックシステムにおいては、前記間引き処理手段は、その間引き量を、前記修正前画像又は修正後画像の解像度、前記各画像の表示サイズ、又は、前記合成画像を印刷するためのプリンタの印刷能力に応じて調整するものであることが望ましい。
【０００９】
【発明の実施の形態】
図１は本発明の一実施形態による校正チェックシステムの概念を説明するための概略ブロック図である。図１において、１は、修正前画像データを記録するための修正前画像記録部である。この修正前画像記録部１記録される修正前画像データは、所定の原稿に基づいてオペレータが入力したテキストデータを使用して編集されたデータが白黒２値画像データに変換されて成るものである。
【００１０】
また、図１において、２は、修正後画像データを記録するための修正後画像記録部である。この修正後画像記録部２に記録される修正後画像データは、前記修正前画像データの元となった前記テキストデータがその後に修正入力されたとき、その修正入力された後のテキストデータを使用して編集されたデータが白黒２値画像データに変換されて成るものである。
【００１１】
また、図１において、３は、前記修正前画像記録部１に記録された修正前画像データと前記修正後画像記録部２に記録された修正後画像データとを比較して互いに重複していない差異部分を示す差異画像を抽出して出力するための差異抽出部である。この差異抽出部３により抽出される差異画像は、後述の合成画像出力部により前記差異画像がオーバーレイされるときのベース画像が前記修正前画像であるときは、前記修正前画像には無いが前記修正後画像には有る部分であり、後述の合成画像出力部により前記差異画像がオーバーレイされるときのベース画像が前記修正後画像であるときは、前記修正前画像には有るが前記修正後画像には無い部分である。
【００１２】
また、図１において、４は、前記修正前画像記録部１に記録された修正前画像データ又は前記修正後画像記録部２に記録された修正後画像データの黒の部分を所定比率で間引きするための間引き処理部である。この間引き処理部は、前記白黒２値の画像データの黒の部分のドット中の所定のもの（例えば、ある一つの黒のドットの隣に在る黒のドット）を黒から白に変換処理するものである。
【００１３】
また、図１において、５は、前記間引き処理部４により間引き処理された修正前画像データ又は修正後画像データをベース画像として、その上に前記差異抽出部３で抽出された差異画像を合成（オーバーレイ）して表示又は印刷するための合成画像出力部である。
【００１４】
次に、図２は本実施形態の処理イメージを示す流れ図である。図２に示すように、本実施形態では、まず、修正前及び修正後の画像ファイル名を画像管理データベースから取得し、次に、修正前画像と修正後画像とを突き合わせて、両者の差異画像を抽出するようにしている。このとき抽出する差異画像は、後のオーバーレイのとき、修正前と修正後のどちらの画像（間引き処理した画像）をベース画像として重ね合わせるかにより、異ならせている。すなわち、修正前画像をベース画像として重ね合わせるときは、修正前画像には無いが修正後画像には有る部分を差異画像として抽出する。他方、修正後画像をベース画像として重ね合わせるときは、修正前画像には有るが修正後画像には無い部分を差異画像として抽出するようにしている。
【００１５】
前記の差異画像の抽出の後、本実施形態では、前記差異画像をオーバーレイすべきベース画像としての前記修正前又は修正後の画像について、その黒の部分を間引き処理する。この間引き処理における間引き量は、前記各画像の解像度、前記各画像の表示サイズ、前記合成画像を印刷するプリンタの印刷能力などを考慮して調整する。
【００１６】
次に、本実施形態では、前述のようにして抽出した差異画像を、ベース画像としての修正前画像又は修正後画像であって前記間引き処理した後の画像の上にオーバーレイして表示又は印刷する。
【００１７】
本実施形態においては、修正前画像がベース画像とされるときは、修正前画像には無いが訂正後画像には有る差異画像がその上にオーバーレイされるので、ユーザーは、間引きされたために全体が薄く見える修正前画像と濃く見える差異画像（修正箇所の修正後の状態）とを互いに比較しながら見ることにより、修正された箇所が一瞥しただけで容易に分るようになる。他方、修正後画像がベース画像とされるときは、修正前画像には有るが訂正後画像には無い差異画像がその上にオーバーレイされるので、ユーザーは、間引きされたために全体が薄く見える修正後画像と濃く見える差異画像（修正箇所の修正前の状態）とを互いに比較しながら見ることにより、修正された箇所が一瞥しただけで容易に分るようになる。
【００１８】
なお、ここで、本実施形態の技術的特徴について説明する。本実施形態では、前記の修正前画像又は修正後画像と前記差異画像との白黒２値の画像（カラーの画像ではない）同士を合成して比較できるようにすることをその特徴としている。従来は、白黒２値の画像同士を単に合成しても、白と黒の点しか存在しないため、レイヤの上下関係がはっきりせず、差異部分を強調して示すことは構造的に無理であった。本実施形態では、この点を、校正チェック・確認を行なうのは最終的に人間であるという点を考慮して次のように解決した。
【００１９】
すなわち、本実施形態では、前記の修正前画像及び修正後画像から互いに重複していない差異部分を抽出すると共に、後の重ね合わせのベースになる画像（前記の修正前画像又は修正後画像）から黒の部分を間引き処理し、前記の間引きしたベース画像と前記の抽出した差異画像とを重ね合わせて（合成して）一つの画像データとして出力するようにしている。前記の間引き処理された画像は、少なくとも数十センチメートル以上の距離から離れて見ると、人間の目には黒の各ドットがぼやけて全体として薄い灰色に見える（人間の目の錯覚による）。したがって、前記合成画像を見るユーザーは、前記の間引き処理されたために全体が薄い灰色に見えるベース画像（前記の修正前画像又は修正後画像）の部分と前記差異画像の部分との間にはっきりした濃淡があるように見え、両者を明確に区別して視認できるようになる。よって、ユーザーは、前記合成画像を見るとき、前記ベース画像（前記の修正前画像又は修正後画像）の部分と前記差異画像の部分とを比較しながら、修正箇所の修正が正確に行なわれているかどうかを容易にチェックできるようになる。
また、前記の間引き処理された画像は、人間の見た感じでは薄い灰色に見えるが、画像フォーマットは変更されていないので、従来のアプリケーションソフトでもそのまま利用できる。
【００２０】
なお、本実施形態においては、前記の修正前画像と修正後画像は、いずれも光学機器を使用せずに作成された電子データであること、及び、双方の画像の解像度、レイヤー、色諧調、及び画像サイズが同一であることが必要である。
【００２１】
次に、図３は前述のような本実施形態の処理過程を具体例に則して説明するための図である。図３において、１１はオペレータが入力したテキストデータを使用して編集されたデータから変換して得られた修正前画像、１２は前記修正前画像１１の元になったテキストデータを修正入力した後のテキストデータを使用して編集されたデータから変換して得られた修正後画像、１３は前記修正前画像１１と前記修正後画像１２との差異部分であって前記修正前画像１１には無くて前記修正後画像１２には有る部分を抽出して得られた差異画像、１４は前記修正前画像１１を間引き処理したベース画像の上に前記差異画像１３をオーバーレイしたときの合成画像、である。
【００２２】
前記の間引き処理された修正前画像１１の上に差異画像１３をオーバーレイした合成画像１４を、ユーザーが、少なくとも数十センチメートル以上離れた位置から見たときは、黒の部分が間引き処理された前記修正前画像１１は人間の目には黒の各ドットがぼやけて全体として薄い灰色に見えるので、ユーザーは、通常の濃さに見える前記差異画像１３の部分と全体が薄い灰色に見える前記修正前画像１１の部分とを明確に区別して視認できるようになる。よって、図３の例では、ユーザーは、前記合成画像１４を見ることにより、修正箇所の修正前の部分と修正後の部分とを区別して両者を比較して見ることができ、修正が適正になされたかどうかの校正チェックが極めて容易にできるようになる。
【００２３】
また、図４は前述のような本実施形態の処理過程を他の具体例に則して説明するための図である。図４において、１１はオペレータが入力したテキストデータを使用して編集されたデータから変換して得られた修正前画像、１２は前記修正前画像１１の元になったテキストデータを修正入力した後のテキストデータを使用して編集されたデータから変換して得られた修正後画像、１３ａは前記修正前画像１１と前記修正後画像１２との差異部分であって前記修正前画像１１には有るが前記修正後画像１２には無い部分を抽出して得られた差異画像、１４ａは前記修正後画像１２を間引き処理したベース画像の上に前記差異画像１３ａをオーバーレイしたときの合成画像、である。
【００２４】
前記の間引き処理された修正後画像１２の上に差異画像１３をオーバーレイした合成画像を、ユーザーが、少なくとも数十センチメートル以上離れた位置から見たときは、黒の部分が間引き処理された前記修正後画像１２は人間の目には黒の各ドットがぼやけて全体として薄い灰色に見えるので、ユーザーは、通常の濃さに見える前記差異画像１３ａの部分と全体が薄い灰色に見える前記修正後画像１２の部分とを明確に区別して視認できるようになる。よって、図４の例では、ユーザーは、前記合成画像１４ａを見ることにより、修正箇所の修正前の部分と修正後の部分とを区別して両者を比較して見ることができ、修正が適正になされたかどうかの校正チェックが極めて容易にできるようになる。
【００２５】
【発明の効果】
以上に説明したように、本発明の校正チェックシステムにおいては、修正前画像と修正後画像との２つの画像から互いに重複していない部分（差異画像）を抽出し、重ね合わせのベースになる画像（修正前画像又は修正後画像）から黒の部分を間引き処理し、前記の間引き処理したベース画像と前記抽出した差異画像とを重ね合わせて一つの画像データとして出力するようにしている。前記の間引き処理された画像は、少なくとも数十センチメートル以上離れた距離から見たときの人間の目には、黒の各ドットがぼやけて全体として薄い灰色に見える（人間の目の錯覚による）ので、ユーザーは、前記重ね合わせ画像を見るとき、前記の間引き処理されたために全体が薄い灰色に見えるベース画像（前記の修正前画像又は修正後画像）の部分と前記差異画像の部分との間にはっきりした濃淡があるように見え、両者を明確に区別して視認できるようになる。よって、ユーザーは、前記合成画像を見ることにより、前記ベース画像（前記の修正前画像又は修正後画像）の部分と前記差異画像の部分とを明確に区別して比較しながら、修正箇所の修正が正確に行なわれたかどうかのチェックを極めて容易に行なえるようになる。
【００２６】
また、本発明によれば、前記の修正前画像又は修正後画像である白黒２値のベース画像であって黒の部分が間引き処理されたベース画像と前記差異画像とを重ね合わせて、両者の見かけ上の濃淡により両者を明確に判別させて校正チェックを行なえるようにしたので、校正チェックのために差異部分をカラー表示する場合などと比較して、前記各画像のデータ容量が格段に少なくて済み、前記各画像のデータ圧縮や送信が極めてスムーズに行なえるようになる。
【００２７】
また、従来のように校正チェックのために差異部分をカラー表示する方法による場合はその差異部分を含む画像を白黒出力用のレーザプリンタ（事務所などでは多く使用されている）で出力したときにどれが差異部分かの判別が困難であったが、本発明によれば、白黒２値のベース画像（前記の修正前画像又は修正後画像）であって間引き処理されたベース画像と前記差異画像とを合成したとき見かけ上の濃淡により両者を明確に判別して比較することができるので、前記合成画像を事務所などで多く使用されている白黒出力用のレーザプリンタで出力したときでも、その印刷した白黒の合成画像を使用して校正チェックを容易に行なえるようになる。
【図面の簡単な説明】
【図１】本発明の実施形態による校正チェックシステムの概念的構成を示す概略ブロック図。
【図２】本実施形態による処理イメージを示す図。
【図３】本実施形態の処理過程を具体例に則して説明するための図。
【図４】本実施形態の処理過程を他の具体例に則して説明するための図。
【符号の説明】
１　修正前画像記録部
２　修正後画像記録部
３　差異抽出部
４　間引き処理部
５　合成画像出力部
１１　修正前画像
１２　修正後画像
１３，１３ａ　差異画像
１４，１４ａ　合成画像
【図１】
2004102583.tif 000003
【図２】
2004102583.tif 000004
【図３】
2004102583.tif 000005
【図４】
2004102583.tif 000006